(57)【要約】  凹状内面および凸状外面を有する舌用凹部(2)が設けられた舌支持要素(1)と、上部および下部噛み面(4a、4b)を有する歯支持要素(3)とを備えた歯科器具において、上部および下部噛み面は舌用凹部(2)の外面側に配設され、上部噛み面(4a)は舌用凹部(2)の反対側においてのみ下部噛み面(4b)と一致し、舌用凹部の内面の第１の端部(5)が歯支持要素(3)の上部および下部噛み面(4a、4b)の間に位置している。舌用凹部の内面(6)は歯支持要素(3)に対し横向きに配され、舌用凹部の内面(6)は患者の舌を収容してこれを口腔内の側部に置き、舌の一部を両噛み面(4a、4b)間に配するように構成されている。【選択図】図４
2017538484.tif 000002
【特許請求の範囲】
【請求項１】
凹状内面および凸状外面を有する舌用凹部(2)を備えた舌支持要素(1)と、
前記舌用凹部(2)の外面側に配設された上部および下部噛み面(4a、4b)を備えた歯支持要素(3)とを含み、
前記上部噛み面(4a)は前記舌用凹部(2)の反対側においてのみ前記下部噛み面(4b)と一致し、
前記舌用凹部の前記内面の第１の端部(5)が前記歯支持要素(3)の前記上部および下部噛み面(4a、4b)の間に位置し、
前記舌用凹部の前記内面(6)が前記歯支持要素(3)に対し横向きであり、
前記舌用凹部の前記内面(6)は、患者の舌を収容し、舌を口腔内の側部に置くように構成された歯および舌の支持具において、
前記舌用凹部の前記凹状内面(6)は、舌の一部を前記両噛み面(4a、4b)の間に置くように構成されたことを特徴とする歯および舌の支持具。
【請求項２】
請求項１に記載の歯および舌の支持具において、前記噛み面(4a、4b)の基本形状はその長手方向に湾曲していることを特徴とする歯および舌の支持具。
【請求項３】
請求項１または２に記載の歯および舌の支持具において、前記噛み面(4a、4b)は突出部(7)を含むことを特徴とする歯および舌の支持具。
【請求項４】
請求項３に記載の歯および舌の支持具において、前記突出部(7)は横断方向に配設されていることを特徴とする歯および舌の支持具。
【請求項５】
前記請求項のいずれか１項に記載の歯および舌の支持具において、前記噛み面(4a、4b)は隆起縁端部(8)を含むことを特徴とする歯および舌の支持具。
【請求項６】
前記請求項のいずれか１項に記載の歯および舌の支持具において、前記舌用凹部(2)は、前記下部噛み面(4b)の高さ(L)を超えて延びるように構成された下側部(9)を有することを特徴とする歯および舌の支持具。
【請求項７】
前記請求項のいずれか１項に記載の歯および舌の支持具において、該支持具は、前記舌支持要素(1)に配設され吸引管(11)を収容するように構成された吸引導管コネクタ(10)を含むことを特徴とする歯および舌の支持具。
【請求項８】
請求項７に記載の歯および舌の支持具において、該支持具は前記舌用凹部に配設された吸引用凹部(12)を含み、該吸引用凹部は前記舌用凹部(2)の前記外面側に配された窪み(13)を形成し、該窪みには前記吸引導管コネクタ(10)が接続され、これにより、該窪み(13)に集まる流体を前記吸引管(11)によって除去できることを特徴とする歯および舌の支持具。
【請求項９】
請求項８に記載の歯および舌の支持具において、前記吸引用凹部(12)の前記内面は前記窪み(13)に接続する少なくとも１本の溝(14)を含むことを特徴とする歯および舌の支持具。
【請求項１０】
前記請求項のいずれか１項に記載の歯および舌の支持具において、該支持具は単一の均質な素材からなることを特徴とする歯および舌の支持具。
【発明の詳細な説明】
【背景】
【０００１】
本発明は、歯および舌の支持具に関するものである。
【０００２】
歯科治療において患者の口を開口状態に維持することはよくある悩みである。なぜなら、長くかかる治療の間に患者の筋肉が疲労してしまうためである。また患者の舌が原因となる別の問題も生じる場合があり、それは、少なくとも時として処置領域を塞いでしまうことである。
【０００３】
従来技術として、開口状態を維持し、さらに／または舌を処置領域に近づけさせない装具が知られている。しかし、上述の問題を完璧に解決する方法は提示されていない。
【概要説明】
【０００４】
本発明に係る歯および舌の支持具は、本願独立請求項に述べる事項を特徴とする。本発明の他の実施形態は、本願の他の請求項に開示する事項を特徴とする。
【０００５】
また、発明の実施形態を本願明細書および図面にて開示する。本願の発明内容は、以下に提示する特許請求の範囲とは異なる規定をする場合もある。発明の内容はまた、とくに、明示的もしくは暗示的なサブタスクに鑑みて本発明を審査した場合、または得られる利点あるいは利点群の観点から審査した場合、複数の異なる発明で構成される場合もある。その場合、以下の特許請求の範囲に含まれる定義のうちのいくつかは、個々の発明概念とは無関係であることもあり得よう。本発明の異なる実施形態の特徴事項は、本発明の基本概念の範囲において他の実施形態に関連して適用することもできよう。
【０００６】
説明する歯および舌の支持具は、凹状内面および凸状外面を有する舌用凹部を備えた舌支持要素と、上部および下部噛み面を備えた歯支持要素とを備え、これらの噛み面は、上部噛み面が舌用凹部の反対側でのみ下部噛み面に一致するように舌用凹部の外面側に配置され、舌用凹部の内面の第１の端部が舌支持要素の上部噛み面および下部噛み面の間に位置し、舌用凹部の内面が歯支持要素に対して横向きになり、したがって舌用凹部の内面は、患者の舌を収容して舌が口腔内の一方の側に収まり、一部が両噛み面の間に収まるように構成されている。
【０００７】
この利点は、患者が不快にならない仕方で処置領域を妨げないことである。
【０００８】
以下に、本発明のいくつかの実施形態の特徴について順不同で述べる。
【０００９】
一実施形態によると、噛み面はその長手方向において湾曲した基本形状を有する。これには、歯および舌の支持具を噛み面の長手方向において回転させることで、口内における支持具の位置を調整できるという利点がある。
【００１０】
一実施形態によると、噛み面は、例えば横断方向に配設された突出部を備えている。これには、歯並びの不揃いな箇所において支持具を適所に収められるという利点がある。
【００１１】
一実施形態によると、噛み面は隆起縁端部を備えている。これには、噛み面が歯との接触から外れてしまう可能性を低減できるという利点がある。
【００１２】
一実施形態によると、舌用凹部は、下側噛み面を越えて延伸するように構成された下側部を有する。これには、舌が処置領域に入り込むのを舌用凹部によって効果的に抑制し、例えばドリルや器械が滑るなどして舌が損傷しないように保護するという利点がある。
【００１３】
一実施形態によると、歯および舌の支持具は、舌支持要素に配設されて吸引管を収容する吸引導管コネクタを備えている。これには、歯および舌の支持具が吸引管の支持固定具として、また吸引管の保持要素としても機能するという利点と、吸引管が偶発的に咽頭に潜り込むのを防ぐという利点があり、これによりスタッフはそれ以外の治療に必要な作業に良好に集中できる。
【００１４】
一実施形態によると、歯および舌の支持具は、舌用凹部内に配設されて舌用凹部の外面側に延伸する窪みを形成する吸引用凹部を備え、この窪みに上述の吸引導管コネクタを接続することにより、窪みに集まる流体を吸引管を通して排出することができる。これによって得られる利点は、流体の除去がより効率的に行なえることである。
【００１５】
一実施形態によると、吸引用凹部の内面は上述の窪みに接続する少なくとも１本の溝を備えている。これには、流体が少量であっても吸引管の吸引領域に流体を流れ込ませることができる利点がある。
【００１６】
一実施形態によると、歯および舌の支持具は単一の均質な素材からなる。そのため、支持が容易になり、素早く操作できるという利点が得られる。
【図面の簡単な説明】
【００１７】
本件を添付図面にてより詳細に説明する。
【図１】歯および舌の支持具を舌用凹部の内面側から示す概略側面図である。
【図２】図１に示す歯および舌の支持具の概略前面図である。
【図３】図１に示す歯および舌の支持具を上から見た概略図である。
【図４】図１に示す歯および舌の支持具を下から見た概略後面斜視図である。
【００１８】
簡略のため、各図は、歯および舌の支持具を単純化して示す。各図において、同様の参照番号は同様の要素を示す。
【詳細な説明】
【００１９】
図１は、歯および舌の支持具を舌用凹部の内面側から見た様子を概略的に示し、図２は前から見た図、図３は上から見た図、図４は下から見た後面斜視図である。
【００２０】
歯および舌の支持具100は、好適には同一の素材片から作成し、そのような素材は好適には、プラスチック、エラストマ、またはこれらを含む混合材などの弾性材料からなる。原材料は、例えば、ポリプロピレンなどのポリオレフィン等、熱硬化性または熱可塑性材料からなるものでよく、さらに／またはドライフレックスなる商品名で市販されている材料でもよい。
【００２１】
歯および舌の支持具100は、使い捨てでよく、もしくは消毒して再使用してもよい。別の案として、歯および舌の支持具100は、２つ以上の部品を互いに接続して構成してもよく、その場合、各部品の原材料は同一でよく、またはそれぞれ異なっていてもよい。
【００２２】
歯および舌の支持具100は弾性を有するため、口の個人差に応じて口腔の最適な位置に配置できる。さらに、弾性材料は患者に不快感を与えない。
【００２３】
歯および舌の支持具100は、凹状内面および凸状外面を有する舌用凹部２が設けられた舌支持要素１と、上部噛み面4aおよび下部噛み面4bを有する歯支持要素とを備えている。
【００２４】
上述の噛み面4a、4bは舌用凹部２の凸状外面に配設され、上部噛み面4aは舌用凹部２の反対側においてのみ下部噛み面4bと一致している。
【００２５】
舌用凹部の内面６は、歯支持要素３に対して横向きに設けられている。舌用凹部の内面５の第１の端部５が歯支持要素３の上部噛み面4aおよび下部噛み面4bの間に配され、この特徴によって噛み面4a、4b間の弾性がさらに増加する。舌用凹部の内面６の第２の端部15は第１の端部５から離れる方向に延伸しているため、患者の舌を実質的に完全に舌用凹部２で覆うことができる。
【００２６】
舌用凹部の凹状内面６は、患者の舌を収容して舌を口腔の一方の側に置くが、舌の一部は噛み面4a、4b間に位置する。
【００２７】
図１に示すように、舌用凹部２の下側部９は噛み面4bの高さＬを超えて延び、つまりは噛み面4bの下まで延びているため、下側部９を、好適には口腔の底部に接触させて、さらに／または下側の歯の歯茎に接触させて配置して、舌用に確保された空間から舌が舌用凹部２の下をくぐって抜け出ないようにすることができる。
【００２８】
歯および舌の支持具100の寸法ならびにその詳細な設計は、口腔の個々の特徴に応じて有利に選択され、たいていの患者の口腔に適するように構成される。しかし、口腔の形状および大きさに当然ながら違いがあるため、様々な大きさおよび形状の歯および舌の支持具100を一揃い用意してもよい。別の案としては、歯および舌の支持具100を患者の口腔の測定値に基づいて注文製作する。
【００２９】
図に示す歯および舌の支持具100は非対称形であり、口腔の右側において使用可能としている。その場合、歯および舌の支持具100は、舌の一部が左側の上下の歯の間にくるように舌を口腔の左側に置くことで、治療を行なうのに十分な空間が口腔の右側および前部に残るようにする。非対称形にすることで、口腔の左側の治療用に別の歯および舌の支持具100を作製することも可能であり、その場合の支持具は図に示す歯および舌の支持具100の鏡像でよい。
【００３０】
噛み面4a、4bの基本形状は、その長手方向において凸状に湾曲するものでよい。湾曲した基本形状を有することで、支持具100を口腔内の最適な位置に配置しやすくできよう。ただし、必ずしもこのように湾曲にさせる必要はなく、噛み面4a、4bは例えば少なくとも実質的に直線状でもよい。
【００３１】
各図では、噛み面4a、4bは横断方向に配設された突出部７を備えている。突出部７を備えることにより、支持具100をより正確な位置に維持できる。当然、突出部７の配設の仕方は他にもあり、例えば、噛み面4a、4bの長手方向に配設してもよく、あるいは全く設けなくてもよい。
【００３２】
各図に示す噛み面4a、4bは、その両側に隆起縁端部８を備えている。これにより、とくに、噛み面4a、4bが歯の間から外れ難くなる。
【００３３】
各図に示す歯および舌の支持具100は、舌支持要素１に配設された吸引導管コネクタ10を有し、本コネクタに吸引管11を緊締してもよい。この点に関し、歯および舌の支持具100は吸引導管コネクタ10を設けずに実現してもよいことに留意されたい。
【００３４】
例えば歯に充填するなど、口腔内の治療を行なう時に、唾液や水などの流体が口腔内に溜まる。流体は、患者が不快にならないように、あるいは処置領域を乾いた状態に維持するために、時々排出する必要がある。そのために吸引管11を使用することは、当該技術において周知のことである。
【００３５】
各図に示す歯および舌の支持具100はさらに、舌用凹部内に配された吸引用凹部12を備え、これは舌用凹部２の外面側に設けられた窪み13を形成している。吸引用凹部12は弾性構造を有することが望ましく、これにより、最適な方法で患者の個々の特徴に応じて口腔内に配置できる。
【００３６】
口腔内に溜まる流体は、吸引用凹部12とその窪み13に集まる。吸引導管コネクタ10は当該窪み13に接続するように構成され、窪み13に集まる流体を吸引管11によって排出してもよい。発想の１つによると、吸引管11は吸引導管コネクタ10を用いて窪み13に配設してもよい。別の発想によると、吸引導管コネクタ10は窪み13まで延び、その場合、吸引管11は必ずしも窪み13まで完全に延びている必要はない。
【００３７】
発想の１つによると、吸引用凹部12の内面は、上記窪み13に接続する１または複数本の溝14を備えている。溝14は、とくに除去すべき流体が吸引用凹部12に集まるのが遅い場合、流体の窪み13への流れを促進させる。本願に記載の機構を用いることにより、吸引用凹部12の最下部、すなわち流体が自然に流れ込む位置において吸引を行なうように出来る。
【００３８】
ただし、歯および舌の支持具100は吸引用凹部11を設けずに実現してもよいことに留意されたい。
【００３９】
いくつかの例では、本願に開示した機能を他の機能に関係なくそのまま用いることもできよう。また反対に、必要に応じて、本願に開示の機能を組み合わせて、別の組合せを得ることもできよう。
【００４０】
図面および関連する開示は、本発明の例を示すことを目的としているにすぎない。本発明は、いくつかの例を通じて本発明を開示した上記実施形態に限定されるものでなく、本願特許請求の範囲に規定する発明の趣旨内で本発明の様々な改良を行なったり、異なる用途を実現したりできることは、当業者に明らかであろう。
【符号の説明】
【００４１】
１  舌支持要素
２  舌用凹部
３  歯支持要素
4a、4b  噛み面
５  第１の端部
６  内面
７  噛み面突出部
８  噛み面縁端部
９  舌用凹部の下側部
10  吸引導管コネクタ
11  吸引管
12  吸引用凹部
13  窪み
14  吸引用凹部の溝
15  第２の端部
100  歯および舌の支持具
Ｌ  下部噛み面の高さ
【図１】
2017538484.tif 000003
【図２】
2017538484.tif 000004
【図３】
2017538484.tif 000005
【図４】
2017538484.tif 000006
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
凹状内面および凸状外面を有する舌用凹部を備えた舌支持要素と、
前記舌用凹部の外面側に配設された上部および下部噛み面を備えた歯支持要素とを含み、
前記上部噛み面は前記舌用凹部の反対側においてのみ前記下部噛み面と一致し、
前記舌用凹部の前記内面の第１の端部が前記歯支持要素の前記上部および下部噛み面の間に位置し、
前記舌用凹部の前記内面が前記歯支持要素に対し横向きであり、
前記舌用凹部の前記内面は、患者の舌を収容し、舌を口腔内の側部に置くように構成された歯および舌の支持具において、
前記舌用凹部の前記凹状内面は、舌の一部を前記両噛み面の間に置くように構成されたことを特徴とする歯および舌の支持具。
【請求項２】
請求項１に記載の歯および舌の支持具において、前記噛み面の基本形状はその長手方向に湾曲していることを特徴とする歯および舌の支持具。
【請求項３】
請求項１または２に記載の歯および舌の支持具において、前記噛み面は突出部を含むことを特徴とする歯および舌の支持具。
【請求項４】
請求項３に記載の歯および舌の支持具において、前記突出部は横断方向に配設されていることを特徴とする歯および舌の支持具。
【請求項５】
請求項１ないし４のいずれか１項に記載の歯および舌の支持具において、前記噛み面は隆起縁端部を含むことを特徴とする歯および舌の支持具。
【請求項６】
請求項１ないし５のいずれか１項に記載の歯および舌の支持具において、前記舌用凹部は、前記下部噛み面の高さを超えて延びるように構成された下側部を有することを特徴とする歯および舌の支持具。
【請求項７】
請求項１ないし６のいずれか１項に記載の歯および舌の支持具において、該支持具は、前記舌支持要素に配設され吸引管を収容するように構成された吸引導管コネクタを含むことを特徴とする歯および舌の支持具。
【請求項８】
請求項７に記載の歯および舌の支持具において、該支持具は前記舌用凹部に配設された吸引用凹部を含み、該吸引用凹部は前記舌用凹部の前記外面側に配された窪みを形成し、該窪みには前記吸引導管コネクタが接続され、これにより、該窪みに集まる流体を前記吸引管によって除去できることを特徴とする歯および舌の支持具。
【請求項９】
請求項８に記載の歯および舌の支持具において、前記吸引用凹部の前記内面は前記窪みに接続する少なくとも１本の溝を含むことを特徴とする歯および舌の支持具。
【請求項１０】
請求項１ないし９のいずれか１項に記載の歯および舌の支持具において、該支持具は単一の均質な素材からなることを特徴とする歯および舌の支持具。
【手続補正２】
【補正対象書類名】明細書
【補正対象項目名】００２５
【補正方法】変更
【補正の内容】
【００２５】
舌用凹部の内面６は、歯支持要素３に対して横向きに設けられている。舌用凹部の内面６の第１の端部５が歯支持要素３の上部噛み面4aおよび下部噛み面4bの間に配され、この特徴によって噛み面4a、4b間の弾性がさらに増加する。舌用凹部の内面６の第２の端部15は第１の端部５から離れる方向に延伸しているため、患者の舌を実質的に完全に舌用凹部２で覆うことができる。
舌用凹部の凹状内面６は、患者の舌を収容して舌を口腔の一方の側に置くが、舌の一部は噛み面4a、4b間に位置する。
【手続補正３】
【補正対象書類名】明細書
【補正対象項目名】００３８
【補正方法】変更
【補正の内容】
【００３８】
ただし、歯および舌の支持具100は吸引用凹部12を設けずに実現してもよいことに留意されたい。
【国際調査報告】
2017538484.tif 000007
2017538484.tif 000008
2017538484.tif 000009
2017538484.tif 000010
2017538484.tif 000011